(57)【特許請求の範囲】
【請求項１】
遅延敏感の、高い優先のおよび／又は緊急関連のマルチキャストセッションのために保有された複数のマルチキャストフロー識別子のうちの少なくとも一つを選択することと、
アクセスネットワークに、前記選択された少なくとも１つのマルチキャストフロー識別子に対応するマルチキャストメッセージを特別な処理プロトコルで関連づけることを指示することと、前記特別な処理プロトコルは、前記関連づけられたマルチキャストメッセージを、前記特別な処理プロトコルを使用しない１つ以上の他のマルチキャストメッセージのために使用される第２のフォーマットと比較して、より早期の送信時間で送信することを可能にする保有されたフォーマットに従って前記アクセスネットワークにより前記関連づけられたマルチキャストメッセージの送信を容易にするように構成され、
前記特別な処理プロトコルに従って前記アクセスネットワークによる送信のための前記選択された少なくとも１つのマルチキャストフロー識別子に対応する与えられたマルチキャストメッセージを生成することと、
を具備する、マルチキャストメッセージの特別な処理のためにワイヤレス通信システムを構成する方法。
【請求項２】
前記選択された少なくとも１つのマルチキャストフロー識別子は、
ブロードキャストおよびマルチキャストサービス（ＢＣＭＣＳ）フロー識別子（ＩＤ）である、請求項１記載の方法。
【請求項３】
前記アクセスネットワークに前記与えられたマルチキャストメッセージを送信することを更に具備する、請求項１記載の方法。
【請求項４】
前記アクセスネットワークで、
複数のアクセスターミナルに送信されるべき前記与えられたマルチキャストメッセージを受信することと、
前記与えられたマルチキャストメッセージが、前記選択された少なくとも１つのマルチキャストフロー識別子に対応する前記与えられたマルチキャストメッセージに基づいてより高い優先状態を割り当てられるかどうかを判定することと、
もし前記判定ステップが、前記与えられたマルチキャストメッセージが前記より高い優先状態を割り当てられたと判定するのであれば、前記与えられたマルチキャストメッセージを保有されたフォーマットに変換することと、
前記複数のアクセスターミナルのうちの少なくとも一つに、制御チャネルを通じて、前記保有されたフォーマットの前記変換されたマルチキャストメッセージを送信することと、
を更に具備する、請求項３記載の方法。
【請求項５】
遅延敏感の、高い優先のおよび／又は緊急関連のマルチキャストセッションのために保有された複数のマルチキャストフロー識別子のうちの少なくとも一つを選択するように構成される論理と、
アクセスネットワークに、前記選択された少なくとも１つのマルチキャストフロー識別子に対応するマルチキャストメッセージを特別な処理プロトコルで関連づけることを指示するように構成される論理と、前記特別な処理プロトコルは、前記関連づけられたマルチキャストメッセージを、前記特別な処理プロトコルを使用しない１つ以上の他のマルチキャストメッセージのために使用される第２のフォーマットと比較して、より早期の送信時間で送信することを可能にする保有されたフォーマットに従って前記アクセスネットワークにより前記関連づけられたマルチキャストメッセージの送信を容易にするように構成され、
前記特別な処理プロトコルに従って前記アクセスネットワークによる送信のための前記選択された少なくとも１つのマルチキャストフロー識別子と対応する与えられたマルチキャストメッセージを生成するように構成される論理と
を具備する、ブロードキャスト供給ノード（ＢＳＮ）を含むワイヤレス通信システム。
【請求項６】
前記ＢＳＮから前記与えられたマルチキャストメッセージを受信するように構成される論理と、前記与えられたマルチキャストメッセージは前記複数のアクセスターミナルに送信されるべきであり、
前記与えられたマルチキャストメッセージが、前記与えられたマルチキャストメッセージに含まれる前記選択された少なくとも１つのマルチキャストフロー識別子に基づいてより高い優先状態を割り当てられるかどうかを判定するように構成される論理と、
もし前記判定するように構成される論理が、前記与えられたマルチキャストメッセージが前記より高い優先状態を割り当てられたと判定するのであれば、前記与えられたマルチキャストメッセージを前記保有されたフォーマットに変換するように構成される論理と、
前記複数のアクセスターミナルのうちの少なくとも一つに、制御チャネルを通じて、前記保有されたフォーマットの前記変換されたマルチキャストメッセージを送信するように構成される論理と、
を更に具備する、請求項５記載のワイヤレス通信システム。
【請求項７】
遅延敏感の、高い優先のおよび／又は緊急関連のマルチキャストセッションのために保有された複数のマルチキャストフロー識別子のうちの少なくとも一つを選択する手段と、
アクセスネットワークに、前記選択された少なくとも１つのマルチキャストフロー識別子に対応するマルチキャストメッセージを特別な処理プロトコルで関連づけることを指示する手段と、前記特別な処理プロトコルは、前記関連づけられたマルチキャストメッセージを、前記特別な処理プロトコルを使用しない１つ以上の他のマルチキャストメッセージのために使用される第２のフォーマットと比較して、より早期の送信時間で送信することを可能にする保有されたフォーマットに従って前記アクセスネットワークにより前記関連づけられたマルチキャストメッセージの送信を容易にするように構成され、
前記特別な処理プロトコルに従って前記アクセスネットワークによる送信のための前記選択された少なくとも１つのマルチキャストフロー識別子と対応する与えられたマルチキャストメッセージを生成する手段と
を具備する、ワイヤレス通信システム。
【請求項８】
前記アクセスネットワークから複数のアクセスターミナルに送信されるべき前記与えられたマルチキャストメッセージを受信する手段と、
前記与えられたマルチキャストメッセージが、前記与えられたマルチキャストメッセージに含まれる前記選択された少なくとも１つのマルチキャストフロー識別子に基づいてより高い優先状態を割り当てられるかどうかを判定する手段と、
もし前記判定する手段が、前記与えられたマルチキャストメッセージが前記より高い優先状態を割り当てられたと判定するのであれば、前記与えられたマルチキャストメッセージを前記保有されたフォーマットに変換する手段と、
前記複数のアクセスターミナルのうちの少なくとも一つに、制御チャネルを通じて、前記保有されたフォーマットを備える前記変換されたマルチキャストメッセージを送信する手段と、
を更に具備する、請求項７記載のワイヤレス通信システム。
【請求項９】
遅延敏感の、高い優先のおよび／又は緊急関連のマルチキャストセッションのために保有された複数のマルチキャストフロー識別子のうちの少なくとも一つを選択するためのプログラムコードと、
アクセスネットワークに、前記選択された少なくとも１つのマルチキャストフロー識別子に対応するマルチキャストメッセージを特別な処理プロトコルで関連づけることを命令するためのプログラムコードと、前記特別な処理プロトコルは、前記関連づけられたマルチキャストメッセージを、前記特別な処理プロトコルを使用しない１つ以上の他のマルチキャストメッセージのために使用される第２のフォーマットと比較して、より早期の送信時間で送信することを可能にする保有されたフォーマットに従って前記アクセスネットワークにより前記関連づけられたマルチキャストメッセージの送信を容易にするように構成され、
前記特別な処理プロトコルに従って前記アクセスネットワークによる送信のための前記選択された少なくとも１つのマルチキャストフロー識別子と対応する与えられたマルチキャストメッセージを生成するためのプログラムコードと、
を具備し、そこに記憶されるプログラムコードを含むコンピュータ可読記録媒体。
【請求項１０】
遅延敏感の、高い優先のおよび／又は緊急関連のマルチキャストセッションのために保有された複数のマルチキャストフロー識別子のうちの少なくとも一つを選択するように構成される論理と、
アクセスネットワークに、前記選択された少なくとも１つのマルチキャストフロー識別子に対応するマルチキャストメッセージを特別な処理プロトコルで関連づけることを命令するように構成される論理と、前記特別な処理プロトコルは、前記関連づけられたマルチキャストメッセージを、前記特別な処理プロトコルを使用しない１つ以上の他のマルチキャストメッセージのために使用される第２のフォーマットと比較して、より早期の送信時間で送信することを可能にする保有されたフォーマットに従って前記アクセスネットワークにより前記関連づけられたマルチキャストメッセージの送信を容易にするように構成され、
前記特別な処理プロトコルに従って前記アクセスネットワークによる送信のための前記選択された少なくとも１つのマルチキャストフロー識別子と対応する与えられたマルチキャストメッセージを生成するように構成される論理と、
を具備する、ブロードキャスト供給ノード。
【請求項１１】
前記デフォルトフォーマットは、予定しているメッセージが、制御チャネルから分離しているデータチャネルを通じて前記１つ以上の他のマルチキャストメッセージの送信を予定する前記制御チャネルを通じて前記アクセスネットワークにより送信されることを要求する、請求項１記載の方法。
【請求項１２】
前記保有されたフォーマットは、前記与えられたマルチキャストメッセージが、前記予定しているメッセージをバイパスし、前記データチャネルの代わりに前記制御チャネルを通じて前記与えられたマルチキャストメッセージを直接送信するアクセスネットワークにより早期の送信時間で送信されることを可能にする、請求項１１記載の方法。
【発明の詳細な説明】
【優先権の主張】
【０００１】
本願は、本願の譲受人に譲渡され、参照によって本願に明確に組み込まれた２００７年９月２４日出願の「ワイヤレス通信システムの中のマルチキャストメッセージング」と題された、米国特許仮出願第６０／９７４，８３３号に対する優先権を主張する。
【技術分野】
【０００２】
本発明は、ワイヤレス通信システムにおいて通信することに関し、特に、ワイヤレス通信システムの中のマルチキャストメッセージングに関連する。
【背景技術】
【０００３】
ワイヤレス通信システムは、第１世代アナログワイヤレス電話サービス（１Ｇ），第２世代（２Ｇ）ディジタルワイヤレス電話サービス（暫定的な２．５Ｇおよび２．７５Ｇネットワークを含む），および第３世代（３Ｇ）高速データ／インターネットキャパブルワイヤレスサービスを含む、様々な世代を通じて発展してきた。現在、セルラーおよび個人通信サービス（ＰＣＳ）システムを含む、多くの異なるタイプのワイヤレス通信システムが用いられている。既知のセルラーシステムの例は、セルラーアナログ先進モバイル電話サービス（ＡＭＰＳ），ＴＤＭＡの地球移動通信システム（ＧＳＭ（登録商標））変動，時分割多元接続（ＴＤＭＡ），周波数分割多元接続（ＦＤＭＡ），符号分割多元接続（ＣＤＭＡ）に基づいたディジタルセルラーシステム，およびＴＤＭＡおよびＣＤＭＡ技術の両方を用いる、より新しいハイブリッドディジタル通信システムを含む。
【０００４】
ＣＤＭＡモバイル通信を提供するための方法は、ここではＩＳ−９５と称される「デュアルモード広帯域幅スペクトラムセルラーシステムのためのモバイル局−基地局互換性規格」と題されたＴＩＡ／ＥＩＡ／ＩＳ９５−Ａにおける電話通信産業協会／電子産業協会によって米国において標準化された。結合されたＡＭＰＳ＆ＣＤＭＡシステムは、ＴＩＡ／ＥＩＡ規格ＩＳ−９８に記述される。その他の通信システムは、ＩＭＴ−２０００／ＵＭ、広帯域ＣＤＭＡ（ＷＣＤＭＡ）、ＣＤＭＡ２０００（例えば、ＣＤＭＡ２０００  １ｘＥＶ−ＤＯ規格等のような）、あるいはＴＤ−ＳＣＤＭＡと称される規格を包含する、国際モバイル電話システム２０００／ユニバーサル電話システムに記述される。
【０００５】
ワイヤレス通信システムにおいて、モバイル局、ハンドセット、又はアクセスターミナル（ＡＴ）は、基地局の周辺又は基地局に隣接した特定の地理的な地域の範囲内で通信リンク又はサービスをサポートする、固定位置基地局（セルサイト又はセルとも称される）からの信号を受信する。基地局は、クオリティ・オブ・サービス（ＱｏＳ）要求に基づいたトラフィックを区別するための方法をサポートする、規格インターネット技術特別調査委員会（ＩＥＴＦ）に基づくプロトコルを用いる一般的なパケットデータネットワークである、アクセスネットワーク（ＡＮ）／無線アクセスネットワーク（ＲＡＮ）にエントリーポイントを提供する。それゆえ、基地局は、無線インターフェースを通じてＡＴ群と、およびインターネットプロトコル（ＩＰ）ネットワークデータパケットを通じてＡＮと情報を交換する。
【０００６】
ワイヤレス電話システムにおいて、プッシュ・トゥ・トーク（ＰＴＴ）性能は、サービスセクタおよび消費者にとって人気になりつつある。ＰＴＴは、ＣＤＭＡ、ＦＤＭＡ、ＴＤＭＡ、ＧＳＭ等のような、標準の商用ワイヤレスインフラストラクチャを通じて実行する「急送」音声サービスをサポートしうる。急送モデルにおいて、端点（ＡＴ群）間の通信は、１人の「話し手」の音声が一又はそれ以上の「聞き手」に送信される、バーチャル群の中で生じる。このタイプの通信の一つの例証は、急送コール又は単にＰＴＴコールと称される。ＰＴＴコールは、コールの特徴を定める群の一例である。本質における群は、群ネーム又は群識別のような、関連した情報およびメンバーリストによって定められる。
【０００７】
慣例的に、ワイヤレス通信ネットワークの中のデータパケットは、単一の目的地又はアクセス端末に送られるように構成される。単一の目的地へのデータの送信は、「ユニキャスト」と称される。モバイル通信が増加するにつれて、多元アクセス端末に与えられたデータを同時に送信するための能力はより重要になってきた。従って、プロトコルは、多数の目的地又は目標アクセス端末に同じパケット又はメッセージの同一のデータ送信をサポートするために採用された。「マルチキャスト」が与えられた群の目的地又はアクセスターミナルへのデータパケットの送信を言及する一方で、「ブロードキャスト」は全ての目的地又はアクセスターミナル（例えば、与えられたコール中の、与えられたサービスプロバイダによって供給される）へのデータパケットの送信を言及する。一例において、与えられた群の目的地又は「マルチキャスト群」は、一つ以上、および、全ての可能な目的地又はアクセス端末（例えば、与えられたコール中の、与えられたサービスプロバイダによって供給される）より少ないものを含んでもよい。しかしながら、ユニキャストと同様にマルチキャスト群が一つのアクセス端末を備えること、又はブロードキャストと同様にマルチキャスト群が全てのアクセス端末（セルあるいはセクタ内の）を備えることは、ある状況において少なくとも可能である。
【０００８】
ブロードキャストおよび／又はマルチキャストは、マルチキャストグループを適応させるための複数の一連のユニキャスト動作を実行するような、または同じ時間に多数のデータ送信を扱うための特有のブロードキャスト／マルチキャストチャネル（ＢＣＨ）を割り当てるような、多数の方法でワイヤレス通信システムの中で行われてもよい。プッシュ・トゥ・トーク通信のためにブロードキャストチャネルを用いる通常のシステムは、参照によってここに組み込まれる、２００７年３月１日出願の「ＣＤＭＡ  １ｘ−ＥＶＤＯセルラーネットワークを用いるプッシュ・トゥ・トークグループコールシステム」と題された、米国特許出願第２００７／００４９３１４号に記述される。ブロードキャストチャネルの使用が通常のユニキャスト技術を通じて帯域幅要求を向上させてもよいが、ブロードキャストチャネルの通常のシグナリングが追加のオーバーヘッドおよび／又は遅延となりうるし、システム性能を落とすかもしれない。
【０００９】
第３世代パートナーシッププロジェクト２（「３ＧＰＰ２」）は、ＣＤＭＡ２０００ネットワークにおけるマルチキャスト通信をサポートするためのブロードキャスト−マルチキャストサービス（ＢＣＭＣＳ）規格を定義する。従って、２００６年２月１４日付けのバージョン１．０  Ｃ．Ｓ００５４−Ａ「ＣＤＭＡ２０００高レートブロードキャスト−マルチキャストパケットデータ無線インターフェース規格」と題された、３ＧＰＰ２の規格のバージョンが参照によってここに組み込まれる。
【発明の概要】
【００１０】
本発明の実施形態は、マルチキャストメッセージを送るための方法およびシステムに向けられる。例えば、方法は、無線アクセスネットワーク（ＲＡＮ）で複数のアクセスターミナルに送信されるべきであるマルチキャストメッセージを受信することを含み、受信されたマルチキャストメッセージは第１のフォーマットを有する。第１のフォーマットは、通常のマルチキャストメッセージフォーマットに対応してもよい。ＲＡＮは、受信されたマルチキャストメッセージが特別な処理を要求するかどうかを判定する。もしＲＡＮが受信されたマルチキャストメッセージは特別な処理を要求すると判定するのであれば、無線アクセスネットワークは受信されたマルチキャストメッセージを第１のフォーマットから第２のフォーマットに変換する。ＲＡＮは、複数のアクセスターミナルのうちの少なくとも一つに、制御チャネル上で、第２のフォーマットに変換されたマルチキャストメッセージ（例えば、データオーバーシグナリング（ＤＯＳ）メッセージ）を送信する。変換されたマルチキャストメッセージを受信するアクセスターミナルは、マルチキャストメッセージのようなメッセージと解釈する。
【図面の簡単な説明】
【００１１】
発明を限定するためではなく、例証について示される添付の図面に関して考慮された場合に、以下の詳細な記述の参照によってよく理解されるのと同様に、本発明の実施形態およびそれに付随する多くの利点の正しい認識は容易に得られるであろう。
【図１】図１は、本発明の少なくとも一つの実施形態に従ってアクセス端末およびアクセスネットワークをサポートするワイヤレスネットワークアーキテクチャの図である。
【図２】図２は、本発明の実施形態に従ってキャリアネットワークを例証する。
【図３】図３は、本発明の少なくとも一つの実施形態に従ったアクセス端末の例証である。
【図４】図４は、ブロードキャストマルチキャストサーバ（ＢＣＭＣＳ）フレームワークを用いる通常のマルチキャストメッセージング処理を例証する。
【図５】図５は、ダウンリンク制御チャネルの周期を例証する。
【図６】図６は、本発明の実施形態に従ってマルチキャストメッセージング処理を例証する。
【発明を実施するための形態】
【００１２】
本発明の態様は、本発明の特定の実施形態に向けられた、以下の描写および関連した図に開示される。別の実施形態が、本発明の範囲から逸脱することなく考案されてもよい。更に、本発明の既知の要素は詳細に記述されないであろう、又は本発明と関連のある詳細を不明瞭にしないように省略されるであろう。
【００１３】
「典型的」および／又は「例」という用語は、本明細書においてもっぱら、「例，実例，又は例証を提供する」ことを意味するように用いられる。本明細書において「典型的」および／又は「例」として説明された任意の実施形態は、必ずしも他の実施形態に対して好適又は有利であるとは解釈されない。同様に、「本発明の実施形態」という用語は、本発明の実施形態の全てが論じられた特徴，利点，又は動作のモードを含むことを要求しない。
【００１４】
更に、多くの実施形態が、計算機の要素によって実行されるべきである一連の動作について記述される。ここに記述された様々な動作が、特定の回路（例えば、特定用途向け集積回路（ＡＳＩＣ））によって、一又はそれ以上のプロセッサによって実行されるプログラム命令によって、又は両者の組み合わせによって、行われうることは承認されるであろう。更に、ここに記述されたこれら一連の動作は、そこに記憶された対応するコンピュータ命令のセットを有するコンピュータ可読媒体の任意の形式の中で具体化されると考えることができる。コンピュータ命令のセットは実行されると、関連したプロセッサにここに記述された機能性を実行させるであろう。本発明の様々な様態が、特許請求の範囲内で熟慮された、多数の異なる形態で具体化されてもよい。更に、ここに記述された実施形態の各々について、このような実施形態に対応する形態が、例えば、記述された動作を「するように構成される論理」として、ここに記述されてもよい。
【００１５】
アクセスターミナル（ＡＴ）とここでは称される、高データレート（ＨＤＲ）サブスクライバ局はモバイル又はステーショナリであってもよいし、モデムプールトランシーバ（ＭＰＴ）又は基地局（ＢＳ）とここでは称される一又はそれ以上のＨＤＲ基地局と通信してもよい。アクセスターミナルは、モデムプールコントローラ（ＭＰＣ）、基地局コントローラ（ＢＳＣ）、および／又はパケット制御機能（ＰＣＦ）と称される、ＨＤＲ基地局コントローラに一又はそれ以上のモデムプールトランシーバを通じてデータパケットを送信し、受信する。モデムプールトランシーバおよびモデムプールコントローラは、アクセスネットワークと称されるネットワークの一部である。アクセスネットワークは、多元アクセスターミナルの間でデータパケットを運ぶ。
【００１６】
アクセスネットワークは、会社のイントラネット又はインターネットのような、アクセスネットワークの外側の追加のネットワークに更に接続されてもよいし、各アクセスターミナルおよびこのようなアウトサイドネットワークの間でデータパケットを運んでもよい。一又はそれ以上のモデムプールトランシーバとのアクティブトラフィックチャネルを設置したアクセスターミナルは、アクティブアクセスターミナルと称され、トラフィック状態であると言われている。一又はそれ以上のモデムプールトランシーバとのアクティブトラフィックチャネルコネクションを設置中であるアクセスターミナルは、接続セットアップ状態であると言われている。アクセスターミナルは、例えば、光ファイバ又は同軸ケーブルを用いる、ワイヤレスチャネルを通じて又は有線チャネルを通じて通信する任意のデータデバイスであってもよい。更に、アクセスターミナルは、ＰＣカード、コンパクトフラッシュ（登録商標）、外部あるいは内部モデム、又はワイヤレスあるいは有線電話を含むが、これに限られない、任意の多数のタイプのデバイスであってもよい。アクセスターミナルがそれを介してモデムプールトランシーバに信号を送る通信リンクは、逆リンク又はトラフィックチャネルと称される。モデムプールトランシーバがそれを介してアクセスターミナルに信号を送る通信リンクは、順リンク又はトラフィックチャネルと称される。ここで用いられるようなトラフィックチャネルという用語は、順又は逆トラフィックチャネルのどちらか一方を言及できる。
【００１７】
図１は、本発明の少なくとも一つの実施形態に従って、ワイヤレスシステム１００の一つの典型的な実施形態のブロック図を例証する。システム１００は、パケット切替えデータネットワーク（例えば、イントラネット，インターネット，および／又はキャリアネットワーク１２６）とアクセスターミナル１０２，１０８，１１０，１１２との間のデータ相互通信能力を提供するネットワーク機器にアクセスターミナルを接続できる、無線アクセスネットワーク（ＲＡＮ）１２０又はアクセスネットワークと無線インターフェース１０４を介して通信する、携帯電話１０２のようなアクセスターミナルを包含しうる。ここに示されるように、アクセスターミナルは、ワイヤレス通信ポータルを有する独立したコンピュータプラットフォーム１１２，送受信両用テキストページャとしてここに示されるページャ１１０，携帯情報端末１０８，又は携帯電話１０２であってもよい。本発明の実施形態は、これらに限定されることなく、ワイヤレスモデム，ＰＣＭＣＩＡカード，パーソナルコンピュータ，電話，又はそれらのいずれかの組み合わせあるいは下位組み合わせを含み、ワイヤレス通信ポータルを含む又はワイヤレス通信能力を有する、アクセスターミナルの任意の形態で実現されてもよい。更に、ここに用いられるような、「アクセスターミナル」，「ワイヤレスデバイス」，「モバイルターミナル」という用語およびそれらの変形は、互換性をもって用いられてもよい。
【００１８】
再び図１を参照して、ワイヤレスネットワーク１００のコンポーネントおよび本発明の例示的な実施形態の要素の相互関係は、例証された構成に限定されない。システム１００は、単なる例示であり、これらに限定されることなく、キャリアネットワーク１２６、インターネット、および／又はその他のリモートサーバを含む、インターフェース１０４およびＲＡＮ１２０によって接続されたコンポーネントの間で、および／又は、お互いの間で無線を通じて通信するためのワイヤレスクライアント算出デバイス１０２、１０８、１１０、１１２のようなリモートアクセスターミナルを可能にする任意のシステムを含む。
【００１９】
ＲＡＮ１２０は、基地局コントローラ／パケット制御機能（ＢＳＣ／ＰＣＦ）１２２に送られるメッセージ（データパケットとして典型的に送られる）を制御する。ＢＳＣ／ＰＣＦ１２２は、パケットデータサービスノード１００（「ＰＤＳＮ」）およびアクセスターミナル１０２／１０８／１１０／１１２の間のベアラチャンネル（換言すると、データチャネル）をこわすこと，設置すること，および信号を送ることに対して応答可能である。もしリンク層暗号化が有効であるのであれば、ＢＳＣ／ＰＣＦ１２２は無線インターフェース１０４を通じてそれを転送する前にコンテンツを暗号化する。ＢＳＣ／ＰＣＦ１２２の機能は、当業者に既知であり、簡潔の目的のために更には記述されないであろう。キャリアネットワーク１２６は、ネットワーク，インターネット，および／又は公衆切替え電話ネットワーク（ＰＳＴＮ）によってＢＳＣ／ＰＣＦ１２２と通信してもよい。また、ＢＳＣ／ＰＣＦ１２２は、外部ネットワーク又はインターネットに直接接続してもよい。典型的に、キャリアネットワーク１２６およびＢＳＣ／ＰＣＦ１２２間でのネットワーク又はインターネット接続はデータを送信し、ＰＳＴＮは音声データを送信する。ＢＳＣ／ＰＣＦ１２２は、多元基地局（ＢＳ）又はモデムプールトランシーバ（ＭＰＴ）１２４に接続されうる。キャリアネットワーク１２６と同様に、ＢＳＣ／ＰＣＦ１２２は、データ転送および／又は音声情報のために、ネットワーク，インターネット，および／又はＰＳＴＮによって、ＭＰＴ／ＢＳ１２４に典型的に接続される。ＭＰＴ／ＢＳ１２４は、携帯電話１０２のようなアクセスターミナルにワイヤレスでデータメッセージを送ることができる。ＭＰＴ／ＢＳ１２４、ＢＳＣ／ＰＣＦ１２２、およびその他のコンポーネントは、当業者に既知である、ＲＡＮ１２０で形作ってもよい。しかしながら、別の構成が用いられてもよいし、本発明は例証された構成に限定されない。例えば、別の実施形態において、一又はそれ以上のＭＰＴ／ＢＳ１２４およびＢＳＣ／ＰＣＦ１２２の機能性が、ＢＳＣ／ＰＣＦ１２２およびＭＰＴ／ＢＳ１２４の両者の機能性を有するシングル「ハイブリッド」モジュールの中にまとめられてもよい。
【００２０】
図２は、本発明の実施形態に従って、キャリアネットワーク１２６を例証する。図２の実施形態において、キャリアネットワーク１２６は、パケットデータ供給ノード（ＰＤＳＮ）１６０，ブロードキャスト供給ノード（ＢＳＮ）１６５，アプリケーションサーバ１７０，およびインターネット１７５を含む。しかしながら、アプリケーションサーバ１７０およびその他のコンポーネントは、別の実施形態においてキャリアネットワーク外に配置されてもよい。ＰＤＳＮ１６０は、例えば、ｃｄｍａ２０００無線アクセスネットワーク（ＲＡＮ）（例えば、図１のＲＡＮ１２０）を用いるモバイル局（例えば、図１からの１０２，１０８，１１０，１１２のようなアクセスターミナル）のためにインターネット１７５，イントラネット，および／又はリモートサーバ（例えば、アプリケーションサーバ１７０）へのアクセスを提供する。アクセスゲートウェイを試行すると、ＰＤＳＮ１６０は、シンプルＩＰおよびモバイルＩＰアクセス，フォーリンエージェントサポート，およびパケットトランスポートを提供してもよい。ＰＤＳＮ１６０は、認証，認可，および評価（ＡＡＡ）サーバと、その他のサポートする基本構造についてクライアントとして試行でき、当業者に既知であるＩＰネットワークへのゲートウェイを備えるモバイル局を提供する。図２に示されるように、ＰＤＳＮ１６０は、通常のＡ１０接続によってＲＡＮ１２０（例えば、ＢＳＣ／ＰＣＦ１２２）と通信してもよい。Ａ１０接続は当業者に既知であり、簡潔の目的のために更に記述されないであろう。
【００２１】
図２を参照して、ブロードキャスト供給ノード（ＢＳＮ）１６５は、マルチキャストおよびブロードキャストサービスをサポートするように典型的に構成される。ＢＳＮ１６５は、より詳細に以下に記述されるであろう。ＢＳＮ１６５は、ブロードキャスト（ＢＣ）Ａ１０接続によってＲＡＮ１２０（例えば、ＢＳＣ／ＰＣＦ１２２）と通信し、インターネット１７５によってアプリケーションサーバ１７０と通信する。ＢＣＡ１０接続は、マルチキャストおよび／又はブロードキャストメッセージングを転送するために用いられる。従って、アプリケーションサーバ１７０は、インターネット１７５によってＰＤＳＮ１６０にユニキャストメッセージングを送信し、インターネット１７５によってＢＳＮ１６５にマルチキャストメッセージングを送信する。ＰＤＳＮおよびＢＳＮは、シングルネットワークノードで統合されてもよい。
【００２２】
一般的に、より詳細に以下に記述されるであろうように、ＲＡＮ１２０は、一又はそれ以上のアクセスターミナル２００にインターフェース１０４のブロードキャストチャネル（ＢＣＨ）を通じて、ＢＣＡ１０接続によってＢＳＮ１６５から受信された、マルチキャストメッセージを転送する。
【００２３】
図３を参照して、携帯電話のようなアクセスターミナル２００（ここでは、ワイヤレスデバイス）は、ＲＡＮ１２０から送信され、キャリアネットワーク１２６、インターネット、および／又はその他のリモートサーバやネットワークから最後に来てもよいコマンド、データ、および／又はソフトウェアアプリケーションを受信でき、実行できる、プラットフォーム２０２を有する。プラットフォーム２０２は、特定用途向け集積回路（「ＡＳＩＣ」２０８）、又はその他のプロセッサ、マイクロプロセッサ、論理回路、あるいはその他のデータ処理デバイスに実行可能に連結された、トランシーバ２０６を含みうる。ＡＳＩＣ２０８又はその他のプロセッサは、ワイヤレスデバイスのメモリ２１２において任意の常駐のプログラムのインターフェースとなる、アプリケーションプログラミングインターフェース（「ＡＰＩ」）２１０で実行する。メモリ２１２は、読み出し専用又はランダムアクセスメモリ（ＲＡＭおよびＲＯＭ）、ＥＥＰＲＯＭ、フラッシュカード、又はコンピュータプラットフォームに共通する任意のメモリを備えられてもよい。プラットフォーム２０２は、メモリ２１２内で積極的には用いられないアプリケーションを収容できる、ローカルデータベース２１４も含みうる。ローカルデータベース２１４は、典型的なフラッシュメモリセルであるが、磁気メディア、ＥＥＰＲＯＭ、光メディア、テープ、ソフト、又はハードディスク等のような、当業者に知られる任意の第２の記憶デバイスであってもよい。インターナルプラットフォーム２０２コンポーネントは、当業者に既知である、アンテナ２２２、ディスプレイ２２４、プッシュ・トゥ・トークボタン２２８、およびキーパッド２２６等のような外部デバイスに実行可能に連結されてもよい。
【００２４】
従って、本発明の実施形態は、ここに記述された機能を実行するための能力を備えるアクセスターミナルを含みうる。当業者によってよく理解されるであろうように、様々な論理要素が、ここに開示された機能性を達成するためのソフトウェアおよびハードウェアの任意の組み合わせ、プロセッサ上で実行されるソフトウェアモジュール、又はディスクリート要素において具体化されうる。例えば、ＡＳＩＣ２０８、メモリ２１２、ＡＰＩ２１０、およびローカルデータベース２１４が、ここに開示された様々な機能を実行し、記憶し、更新するために全て用いられてもよいし、且つ、これらの機能を実行するための論理が様々な要素を通じて分散されてもよい。また、機能性は一つのディスクリートコンポーネントに組み込まれてもよい。それゆえ、図３のアクセスターミナルの特徴は単なる例証とみなされるべきであり、本発明は例証された特徴又は組み合わせに限定されない。
【００２５】
アクセスターミナル１０２およびＲＡＮ１２０の間のワイヤレス通信は、ワイヤレス通信ネットワーク又はデータ通信ネットワークに用いられてもよい、符号分割多元接続（ＣＤＭＡ）、ＷＣＤＭＡ、時分割多元接続（ＴＤＭＡ）、周波数分割多元接続（ＦＤＭＡ）、直交周波数分割多元接続（ＯＦＤＮＡ）、地球移動通信システム（ＧＳＭ）、又はその他のプロトコルのような異なる技術に基づかれていてもよい。データ通信は、クライアントデバイス１０２、ＭＰＴ／ＢＳ１２４、およびＢＳＣ／ＰＣＦ１２２の間で典型的である。ＢＳＣ／ＰＣＦ１２２は、キャリアネットワーク１２６、ＰＳＴＮ、インターネット、仮想プライベートネットワーク等のような多元データネットワークに接続されてもよい。従って、アクセスターミナル１０２は、ブローダアクセスネットワークにアクセスすることを可能にさせる。前述で論ぜられ、当業者に知られるような、音声送信および／又はデータは、種々のネットワークおよび構成を用いて、ＲＡＮ１２０からアクセスターミナルに送信されうる。従って、ここに提供した例証は、本発明の実施形態に限定することを意図せず、本発明の実施形態の様態の描写を単に手助けするためにある。
【００２６】
背景部分で論じたように、マルチキャストメッセージングは多数の方法で実行されてもよい。本発明の実施形態をよりよく理解するために、通常のマルチキャストメッセージング処理がそれぞれ図４および５に関して記述されるであろう。そこで、本発明の実施形態に従って、マルチキャストメッセージング処理がより詳細に記述されるであろう。
【００２７】
図４は、ブロードキャストマルチキャストサーバ（ＢＣＭＣＳ）フレームワークを用いる、通常のマルチキャストメッセージング処理を例証する。図４のマルチキャストメッセージング処理は、図１および２のワイヤレスシステム１００の中で実行されるように、以下に記述される。図４を参照して、４００において、アプリケーションサーバ（又は、その他のイニシエータ）は、ＡＴ群（例えば、Ａ、Ｂ、およびＣ）を含むマルチキャスト群に送られるべきであるマルチキャストメッセージを要求する。４００からのマルチキャストメッセージはＢＳＮ１６５に発送される。４０５において、ＢＳＮ１６５は、ＲＡＮ１２０へのＢＣＡ１０接続を通じてマルチキャストメッセージのためのＡＴ群又は対象目的地を含む、関連したマルチキャスト群と一緒にマルチキャストメッセージを送る。例えば、マルチキャストメッセージはＢＳＣ／ＰＣＦ１２２に最初に送られ、ＢＳＣ／ＰＣＦ１２２はマルチキャストメッセージについてマルチキャスト群メンバーを解析し、ＢＳＣ／ＰＣＦ１２２は、一又はそれ以上のマルチキャスト群メンバーを供給する各ＭＰＴ／ＢＳ１２４にマルチキャストメッセージを送る。
【００２８】
送られたマルチキャストメッセージを受信する後、ＲＡＮ１２０は、４１０において次に利用可能な制御チャネルカプセルを待つ。ここで言及される制御チャネルは、ブロードキャストチャネル（ＢＣＨ）とは異なる周波数、コーディング、および／又は帯域幅を割り当てられる、ダウンリンク制御チャネルである。概して、より広い帯域幅がデータを含むと慣例的に意図されるブロードキャストチャネル（ＢＣＨ）に割り当てられる一方で、より狭い帯域幅は制御メッセージングのみを含むと慣例的に意図される制御チャネルに割り当てられる。
【００２９】
図５を参照して、各制御チャネル周期は総計２５６スロットを含む。各制御チャネル周期は、同期制御チャネルカプセル（ＳＣ）、非同期制御チャネルカプセル（ＡＣ）、および多数の副同期制御チャネル（ＳＳＣ）を含む。ＡＣが制御チャネル周期の中で「ランダム」又は非同期タイムスロットで送信されるのに対し、あるＳＣは２５６スロットの周期を有する各制御チャネル周期のために、与えられたタイムスロットで定期的又は周期的に送信される。ＳＣは、「Ｔ  ｍｏｄ  ２５６＝Ｏｆｆｓｅｔ」に対応するタイムスロットで最初に送信され、「Ｔ  ｍｏｄ  ４＝Ｏｆｆｓｅｔ」に対応するタイムスロットで再送信される。なお、Ｔはシステムタイムを示し、Ｏｆｆｓｅｔは制御チャネルヘッダに含まれる、固定タイムから遅れたタイム値を示す。各ＳＣが複数の制御チャネルＭＡＣ層パケットを含んでもよいのに対し、各ＡＣは一つの制御チャネルＭＡＣ層パケットのみを含む。各ＭＰＴ／ＢＳ１２４は一又はそれ以上の制御チャネルＭＡＣ層パケットを周期的に送信するので、もし各ＭＰＴ／ＢＳ１２４が同時に送信するのであれば、干渉（例えば、インターセル干渉）が生じるかもしれない。従って、異なるオフセットが、衝突を避けるために各ＭＰＴ／ＢＳ１２４のためのＳＣに適用される。ＭＰＴ／ＢＳは、ある制御チャネル周期又は２５６スロット周期の中の３倍のＳＳＣカプセルを送信してもよい。各ＳＳＣは一つの制御チャネルＭＡＣ層パケットのみを典型的に送信する。オフセット値を２と仮定すると、ＳＳＣはタイムスロット６６、１３０、および１９４で送信される。制御チャネルカプセル（例えば、ＳＣ、ＡＣ、ＳＳＣ等）は、ＢＣＭＣＳに関する当業者に一般的に既知であり、それらの更なる記述は簡潔の目的のために省略される。
【００３０】
図４に再び戻ると、周期的なＢＯＭメッセージが予定される場合、４１０において、ＲＡＮ１２０は、同期制御チャネルカプセル（ＳＣ）（例えば、オフセットを２と仮定する、次の制御チャネル周期中のタイムスロット２）又は副同期制御チャネルカプセル（ＳＳＣ）（例えば、オフセットを２と仮定する、制御チャネル周期のタイムスロット６６、１３０、１９４のうちの一つ）のどちらか一方を待つ。例えば、各制御チャネル周期の中の特定の制御チャネルカプセルが特定のＢＯＭのために保有されてもよい。その他のアプリケーションが制御チャネルにアクセスすることを試み、他のメッセージが予定されるかもしれないので、複数のサイクルの遅延を予定してもよい。
【００３１】
４１５において、次に利用可能なＳＣ又はＳＳＣを待つ後、ＲＡＮ１２０は一又はそれ以上のマルチキャスト群メンバー（例えば、ＡＴ群Ａ、Ｂ、Ｃ）に無線インターフェースを通じてブロードキャストオーバーヘッドメッセージ（ＢＯＭ）を送信する。ＢＯＭは、ＥＶ−ＤＯ規格によって定められた順リンク制御メッセージである。ＢＯＭは、セクタにおいて現在実行されているＢＣＭＣＳフローの各マルチキャスト群メンバーを通知するために用いられる。ＢＯＭは、望ましいパケットフローを受信するためにデコードされるべき順リンク物理層タイムスロットに関する情報であり、フローを送信するために用いられる物理層レートおよびブロードキャスト物理層パケット当たりの物理層スロット数の情報である、飛び越し多重ペア（ＩＭ−Ｐａｉｒ）情報も提供する。４２０において、ＲＡＮ１２０は、対象ＡＴ群でデコードされるべきＢＯＭについて予め決められた数のスロット（例えば、８〜１６スロット）を待つ。遅延４２０の後、４２５において、ＲＡＮ１２０は、デコードされたＢＯＭによって示されたＢＣＨスロットを待つ。これは、ブロードキャストチャネル上でのトラフィックに基づいて更に悪化させられるかもしれない、別の遅延を創り出す。４３０において、ＲＡＮ１２０は、示されたＢＣＨスロット上でブロードキャストチャネル（ＢＣＨ）を通じて供給する、各マルチキャスト群メンバー又は対象ＡＴにアナウンスメッセージを送信する。
【００３２】
図４に関して上述したように、マルチキャストメッセージがマルチキャスト群のそれぞれのメンバーにブロードキャストチャネル（ＢＣＨ）を通じて送信される前に、通常のＢＣＭＣＳマルチキャストメッセージングは、ブロードキャストオーバーヘッドメッセージ（ＢＯＭ）をデコードするために各対象ＡＴ又はマルチキャスト群メンバーを典型的に要求する。これは、ＢＯＭの予定する遅延、デコードするための遅延、アナウンスメッセージを予定するための潜在的な二次遅延を創り出す。
【００３３】
図６の実施形態において、６００において、アプリケーションサーバ１７０は、ＡＴ群Ａ、Ｂ、およびＣを含むマルチキャスト群に送られるべきであるマルチキャストメッセージを要求する。６００からのマルチキャストメッセージはＢＳＮ１６５に送られる。６０５において、ＢＳＮ１６５は、ＲＡＮ１２０にＢＣＡ１０接続を通じてマルチキャストメッセージのための対象目的地又はＡＴ群を含む、関連したマルチキャスト群と一緒にマルチキャストメッセージを送る。例えば、ＢＳＮ１６５は、マルチキャストメッセージに関連したマルチキャスト群メンバーを解析してもよいし、一又はそれ以上のマルチキャスト群メンバーを供給する各ＭＰＴ／ＢＳ１２４にマルチキャストメッセージを送る、ＢＳＣ／ＰＣＦ１２２にマルチキャストメッセージを送ってもよい。
【００３４】
送られたマルチキャストメッセージを受信する後、６１０において、ＲＡＮ１２０は受信されたマルチキャストメッセージを解析する。６１０における解析に基づいて、６１５において、ＲＡＮ１２０はマルチキャストメッセージに処理又は特別な処理命令を適用するかどうかを判定する。例えば、６１０において解析することは、マルチキャストメッセージのインターネットプロトコル（ＩＰ）ヘッダを評価してもよい。例えば、ＩＰヘッダのディフサーブ（Difserv）コードポイント（ＤＳＣＰ）値のような「フラグ」がＩＰヘッダの中に存在すると判定されるのであれば、フラグはマルチキャストメッセージのために特別な処理を要求するトリガのように解釈されるかもしれない。また、フラグは、既知のＢＣＡ１０識別子（ＩＤ）又はＢＣＭＣＳフローＩＤ（例えば、ＩＰヘッダから分離する）の中に提供されてもよい。例えば、マルチキャストセッションの前に、ＢＳＮ１６５は、特別な処理（例えば、緊急通信のために保有されたマルチセッション等）に関連する又は「保有」される、マルチキャストＩＰアドレスおよびポート番号によって各々識別されたマルチキャストセッションを備えて構成されてもよい。ＢＳＮ１６５は、ＲＡＮ１２０と対応するＢＣＭＣＳフローＩＤを共有してもよい。従って、その後、マルチキャストセッションの間に、ＲＡＮ１２０は、６１０において受信されたマルチキャストメッセージが保有されたＢＣＭＣＳフローＩＤのうちの一つに対応するかどうかをチェックしてもよい。もしそうであるのであれば、６１５において、受信されたマルチキャストメッセージのために特別な処理を適用するかどうかを判定する。
【００３５】
別の代わりの例において、フラグは、ＩＰヘッダおよびＢＣＭＣＳフローＩＤ／ＢＣＡ１０  ＩＤの両方によって提供されてもよい。概して、ＩＰヘッダの中のフラグ（例えば、ＤＳＣＰ、又は、マルチキャストＩＰアドレスおよびポート番号）がＲＡＮ１２０のＢＳＣ／ＰＣＦ１２のＰＣＦ部によって承認／デコードされてもよいのに対し、ＢＣＭＣＳフローＩＤによって示されるフラグはＢＳＣ／ＰＣＦ１２２の両方によって承認されてもよい。ＢＣＡ１０接続識別子およびＤＳＣＰ値は当業者に既知であり、更なる簡潔の目的のために記述されないであろう。
【００３６】
例えば、「フラグ」は、ＲＡＮ１２０に関するネットワークアーキテクチャの中の任意の高いレベルポジションでマルチキャストメッセージ（例えば、ＩＰヘッダ、ＢＣＭＣＳフローＩＤ、又はＢＣＡ１０接続等によって）に挿入されてもよい。フラグは、アプリケーションサーバ１７０、ＢＳＮ１６５等によってＩＰヘッダの中に挿入されてもよい。別の例において、フラグは、特定のＰＴＴセッションを始める又は知らせるアナウンスメッセージのような、「より高い優先」マルチキャストメッセージを示すために用いられてもよい。別の例において、商品広告に関連したマルチキャストメッセージが必ずしも「フラグを立てられ」なくてもよいのに対し、緊急アラートに関連したマルチキャストメッセージは「フラグを立てられる」かもしれない。
【００３７】
６１５において、もしＲＡＮ１２０がマルチキャストメッセージに特別な処理を適用しないと判定するのであれば、処理は図４のブロック４１０に進み、通常のＢＣＭＣＳマルチキャストメッセージプロトコルが、マルチキャストメッセージ群にマルチキャストメッセージを送信するために用いられてもよい。すなわち、もしＲＡＮ１２０が、６１５において特別な処理がマルチキャストメッセージのために要求されたと判定するのであれば、処理は６２０に進む。
【００３８】
６２０において、ＲＡＮ１２０は、マルチキャストメッセージを含むデータオーバーシグナリング（ＤＯＳ）メッセージを生成する。ＤＯＳメッセージはＥＶ−ＤＯプロトコルに関する当業者に既知である。ＤＯＳメッセージは、ユニキャストメッセージとしてＥＶ−ＤＯ規格によって定められ、ＥＶ−ＤＯ規格におけるマルチキャストメッセージングに関連しない。しかしながら、本発明の実施形態は、マルチキャストメッセージを含むＤＯＳメッセージを生成する。ＤＯＳメッセージは、記述されるであろうような、マルチキャストメッセージングプロトコルをサポートするように再構成されてもよい。
【００３９】
ＣＤＭＡ２０００  １ｘ  ＥＶ−ＤＯは、アクセスターミナルを識別するためのアクセスターミナル識別子（ＡＴＩ）、ブロードキャストＡＴＩ（ＢＡＴＩ）、マルチキャストＡＴＩ（ＭＡＴＩ）、ユニキャストＡＴＩ（ＵＡＴＩ）、およびランダムＡＴＩ（ＲＡＴＩ）を定める。ＢＡＴＩは「００」と定められ、ＭＡＴＩは「０１」と定められ、ＵＡＴＩは「１０」と定められ、ＲＡＴＩは「１１」と定められる。ＢＡＴＩを除く３つのＡＴＩタイプは、ＡＴＩを表わすための３２ビットフィールドを有する。ＵＡＴＩは、１対１コール処理プロシージャに用いられる。
【００４０】
上述したように、ＤＯＳメッセージは、ユニキャストメッセージングに関連し、マルチキャストメッセージングに関連していないようなＥＶ−Ｄ規格によって定められる。しかしながら、６２０において生成されたＤＯＳメッセージは、マルチキャストアクセスターミナル識別子（ＭＡＴＩ）にアドレスされる。なお、ＭＡＴＩはマルチキャストメッセージに関連したＢＣＭＣＳフローＩＤにセットされる。ＢＣＭＣＳフローＩＤは、群コールのためにブロードキャストチャネル上で適切なストリームを識別することをＡＴ群に可能にさせる。概して、ＢＣＭＣＳフローＩＤは、特定のＢＣＭＣＳフロー（例えば、ＢＣＭＣＳフローＩＤがＢＯＭ等によって示されるかもしれない）を監視しているそれぞれのＡＴで知られる。従って、以下により詳細に記述されるであろうように、ＭＡＴＩに６２０のＤＯＳメッセージをアドレスする又はトリガすることによって、ＤＯＳメッセージを受信する対象ＡＴ群は、ＢＣＭＣＳフローに関連したマルチキャストメッセージとＤＯＳメッセージを解釈してもよく、群コールを始めるために必要である情報を直接受信する。しかしながら、その他の実施形態がマルチキャストメッセージとＤＯＳを区別するために、ＭＡＴＩからＢＣＭＣＳフローＩＤにセットすることに限定されない必要があることはよく理解されるであろう。例えば、ＭＡＴＩは、マルチキャスト群メンバー又はＡＴ群が特定のマルチキャスト群のためにマルチキャストメッセージであるべきＭＡＴＩを識別すると解釈してもよい、任意の値にセットされてもよい。
【００４１】
６２５において、ＲＡＮ１２０は、制御チャネル上で次に利用可能な制御チャネルカプセルを待つ。６３０において、ＲＡＮ１２０は、次に利用可能な制御チャネルカプセルの中の制御チャネルを通じてマルチキャスト群メンバーにＤＯＳメッセージを送信する。上述したように、制御チャネルカプセルの各同期チャネル（ＳＣ）（例えば、又は代わりに、各副同期チャネル）は、複数のＭＡＣ層パケットを含んでもよい。従って、例において、ＤＯＳメッセージは、与えられた制御チャネルカプセルの最初のＭＡＣ層パケットに含まれてもよい。
【００４２】
６３５において、各対象ＡＴは、制御チャネルを通じて６３０において送信されたＤＯＳメッセージを受信する。ＤＯＳメッセージがＭＡＴＩにアドレスされるので、各対象ＡＴはＤＯＳメッセージが関連したマルチキャストメッセージ（例えば、ユニキャストメッセージに対する）を含むことを判定する。ＭＡＴＩにアドレスされるＤＯＳメッセージが通常のハンドセット又はＡＴにおけるエラーとして解釈されるであろうことはよく理解されるであろう。しかしながら、この実施形態において、各対象ＡＴは、ＭＡＴＩにアドレスされる制御メッセージをマルチキャストメッセージとして認知する（例えば、さもなければマルチキャストメッセージとして識別される）ように構成されてもよい。この実施形態に従って構成されるＡＴは、６３５において、受信されたＤＯＳメッセージからマルチキャストメッセージを抽出する。それぞれの対象ＡＴ群は、成功した受領の後に続くＤＯＳメッセージ中に含まれるマルチキャストメッセージの受領又はマルチキャストメッセージの「抽出する」ことを承認してもよい。本発明の別の実施形態において、ＤＯＳマルチキャストメッセージがＡＴ群を受信することによって正確に解釈されることを確実にするために、ＲＡＮ１２０は、一又はそれ以上の与えられた対象ＡＴ群が、例えば、マルチキャストメッセージとしてＭＡＴＩを用いるＤＯＳメッセージを解釈可能であることを最初に確認する。例において、６３５において、ＤＯＳメッセージを受信する各ＡＴは、ＡＴがマルチキャストメッセージの意図された受信者の一つであるかに関係なく、マルチキャストメッセージをデコード／抽出してもよい。別の例において、６３５において、「対象ＡＴ群」又はマルチセッションに関係させられるＡＴ群は、ＤＯＳメッセージからマルチキャストメッセージをデコード／抽出してもよい。
【００４３】
図６の例示的なマルチキャストメッセージング処理の前述の記述からよく理解されるように、アナウンスメッセージを送ること、ＢＯＭデコーディングを待つこと、およびマルチキャスト群メンバーにＢＯＭを送ることに関連したデータの潜在的な損失および遅延は、ＩＰヘッダフラグによってより高い優先状態を割り当てることによって、および、制御チャネルによってより高いマルチキャストメッセージを送信することによってＤＯＳマルチキャストメッセージについて避けられてもよい。
【００４４】
更に、ＲＡＮ１２０および／又はＭＰＴ／ＢＳ１２４で実行されているとして記述された図６の処理が、本発明のその他の実施形態において同時に一又はそれ以上のＲＡＮおよび／又はＭＰＴ／ＢＳで実行されてもよいということはよく理解されるであろう。図６の記述が、記述の便宜の目的のためにシングルＲＡＮおよびＭＰＴ／ＢＳインプリメンテーションに向けられたことはよく理解されるであろう。別の例において、もしマルチキャスト群メンバーが異なるＭＰＴ／ＢＳ１２４の間で分散されるのであれば、プロシージャ６１０から６３５が独立して異なるＭＰＴ／ＢＳ１２４の間で実行されてもよい。
【００４５】
更に、図６の実施形態が、ＵＡＴＩアドレス又はユニキャストビットシグネーチャに対するＭＡＴＩアドレス又はマルチキャストビットシグネーチャにセットされている、１ｘＥＶＤＯにおけるＤＯＳメッセージに向けられる間に、ＭＡＴＩタイプメッセージと同じように適応させる任意の制御チャネルメッセージが、制御チャネル上でのマルチキャストメッセージを転送するために代わりに用いられてもよいということは、よく理解されるであろう。
【００４６】
当業者は、情報および信号が、様々な異なる技術および技法のうちの任意の１つを用いて表わされうることをよく理解するであろう。例えば、上記記載を通して参照されうるデータ、命令、コマンド、情報、信号、ビット、記号、およびチップは、電圧、電流、電磁波、磁界あるいは磁気粒子、光場あるいは光粒子、又はそれらの任意の組み合わせによって表わされうる。
【００４７】
更に、当業者は、本明細書における開示に関連して記載された、実例となる様々な論理ブロック，モジュール，回路，およびアルゴリズムステップが、電子工学的ハードウェア，コンピュータソフトウェア，又はそれらの任意の組み合わせとして実現されうることをよく理解するであろう。ハードウェアとソフトウェアとの相互置換性を明確に説明するために、様々な実例となる構成要素，ブロック，モジュール，回路，およびステップが、それらの機能の観点から一般的に説明された。このような機能が、ハードウェアとして実現されるかソフトウェアとして実現されるかは、システム全体に課された設計制約および特定のアプリケーションによる。当業者は、各特定のアプリケーションのために上述した機能を様々な方法で実現することができるが、このような実現の決定は、本発明の範囲から逸脱させるものとして解釈されてはならない。
【００４８】
本明細書における開示に関連して示された様々な例示的論理ブロック，モジュール，および回路は、汎用プロセッサ，ディジタル信号プロセッサ（ＤＳＰ），特定用途向け集積回路（ＡＳＩＣ），フィールド・プログラマブル・ゲート・アレイ（ＦＰＧＡ）あるいはその他のプログラマブル論理デバイス，ディスクリート・ゲートあるいはトランジスタ・ロジック，ディスクリート・ハードウェア部品，又は本明細書に示す機能を実行するために設計された上記何れかの組み合わせを用いて実現又は実行されうる。汎用プロセッサとしてマイクロプロセッサを用いることが可能であるが、代わりに、従来技術によるプロセッサ，コントローラ，マイクロコントローラ，又は状態機器を用いることも可能である。プロセッサは、例えばＤＳＰコアに接続された一又はそれ以上のマイクロプロセッサ，又はこのような任意の構成である計算デバイスの組み合わせとして実現することも可能である。
【００４９】
従って、本発明の実施形態は、特別な処理命令又はより高い優先状態（例えば、ＩＰヘッダフラグによって）に関連したマルチキャストメッセージを検出するように構成された論理を含む装置を備えうる。装置は、ＤＯＳメッセージの中により高い優先マルチキャストメッセージをパッケージするように構成された論理、次に利用可能なＳＣ又はＳＳＣでマルチキャストメッセージについてのマルチキャスト群メンバーに属するＡＴ群にＤＯＳメッセージを送信するように構成された論理、を更に含みうる。様々な論理的な要素が一つのデバイスの中に統合されてもよい、又は互いに実行可能に連結するいくつかのデバイスに振り分けられてもよい。例えば、装置は無線アクセスネットワーク、群通信システム、又はワイヤレス通信ネットワークであってもよい。
【００５０】
更に、本発明の実施形態の態様は、本明細書に記述される機能の論理的な実現を含みうる。例えば、本発明の実施形態は、特別な処理命令又はより高い優先状態（例えば、ＩＰヘッダフラグによって）に関連したマルチキャストメッセージを検出するように構成された論理を更に含みうる。論理は、ＤＯＳメッセージの中により高い優先マルチキャストメッセージをパッケージするように更に構成されうるし、次に利用可能なＳＣ又はＳＳＣでマルチキャストメッセージについてのマルチキャスト群メンバーに属するＡＴ群にＤＯＳメッセージを送信するように構成された論理を更に含みうる。従って、当業者は、本発明の実施形態が本明細書に提供される例に限定されないことをよく理解するであろう。
【００５１】
ソフトウェアによって実現される場合、機能は、コンピュータ可読媒体上の一又はそれ以上の命令又はコードとして格納又は送信されうる。コンピュータ可読媒体は、１つの場所から別の場所へのコンピュータプログラムの転送を容易にする任意の媒体を含む通信媒体およびコンピュータ記憶媒体両方を含む。記憶媒体は、コンピュータによってアクセス可能である任意の利用可能な媒体であることができる。限定ではなく一例として、そのようなコンピュータ可読媒体は、ＲＡＭ，ＲＯＭ，ＥＥＰＲＯＭ，ＣＤ−ＲＯＭあるいはその他の光ディスク記憶媒体，磁気ディスク記憶媒体あるいはその他の磁気記憶媒体、又は、コンピュータによってアクセス可能であり、命令又はデータ構成の形式で望まれるプログラムコードを搬送又は格納するために用いられることができるその他任意の媒体を備えることができる。また、任意の接続が、コンピュータ可読媒体と適切に称される。例えば、ソフトウェアが、ウェブサイト，サーバ、又は、同軸ケーブル，光ファイバケーブル，ツイストペア，ＤＳＬ，あるいは例えば赤外線，無線，およびマイクロ波のような無線技術を用いるその他の遠隔ソースから送信される場合、同軸ケーブル，光ファイバケーブル，ツイスト線ペア，ＤＳＬ、又は、例えば赤外線，無線，およびマイクロ波のような無線技術は、媒体の定義内に含まれる。本明細書で用いられるディスク（ｄｉｓｋ）およびディスク（ｄｉｓｃ）は、コンパクトディスク（ｄｉｓｃ）（ＣＤ），レーザディスク（ｄｉｓｃ），光ディスク（ｄｉｓｃ），ディジタルバーサスタイルディスク（ｄｉｓｃ）（ＤＶＤ），フロッピー（登録商標）ディスク（ｄｉｓｋ），およびブルーレイディスク（ｄｉｓｃ）を含み、ディスク（ｄｉｓｋ）は通常データを磁気的に再生するのに対し、ディスク（ｄｉｓｃ）はレーザによって光的にデータを再生する。上記の組み合わせもまた、コンピュータ可読媒体の範囲内に含まれるべきである。
【００５２】
従って、本発明の実施形態は、特別な処理命令又はより高い優先状態に関連した（例えば、ＩＰヘッダフラグによって）マルチキャストメッセージを検知するためにそこに記憶されるコードを含むコンピュータ可読媒体を含みうる。コードは、ＤＯＳメッセージ中により高い優先マルチキャストメッセージを更にパッケージしうるし、次の利用可能なＳＣ又はＳＳＣでマルチキャストメッセージのためのマルチキャスト群メンバーに属するＡＴ群へＤＯＳメッセージを送信する。更に、本明細書に記述される機能の何れかは、本発明の更なる実施形態における追加のコードとして含まれうる。
【００５３】
前述の開示が本発明の例示的な実施形態を示す一方で、様々な変形および変更が追加された特許請求の範囲によって定義されるように本発明の範囲から逸脱することなくここでされてもよい。ここに記述される本発明の実施形態に従って、方法特許請求の範囲の動作，ステップ，および／又は機能が、特定の順序の何れかで実行される必要はない。更に、本発明の要素が、単一で記述される又は主張されてもよい。単一に制限すると明確に述べられない限り複数が熟慮される。
以下に、本願出願の当初の特許請求の範囲に記載された発明を付記する。
［Ｃ１］
複数のアクセスターミナルに送信されるべきマルチキャストメッセージを受信すること、前記受信されたマルチキャストメッセージは第１のフォーマットを有する、と、
前記受信されたマルチキャストメッセージが特別な処理を要求するかどうか判定することと、
もし前記判定ステップが前記受信されたマルチキャストメッセージは特別な処理を要求すると判定するのであれば、前記受信されたマルチキャストメッセージを前記第１のフォーマットから第２のフォーマットに変換することと、
複数のアクセスターミナルのうちの少なくとも一つに、制御チャネルを通じて、前記第２のフォーマットの前記変換されたマルチキャストメッセージを送信することと、
を具備する、ワイヤレス通信システム中のマルチキャストメッセージを送信する方法。
［Ｃ２］
前記判定ステップは、
前記受信されたマルチキャストメッセージが、前記受信されたマルチキャストメッセージに関連したＢＣＡ１０識別子に基づいた特別な処理を要求するかどうかを判定する、Ｃ１記載の方法。
［Ｃ３］
前記判定ステップは、
保有されたリストのＢＣＡ１０識別子と前記受信されたマルチキャストメッセージに関連したＢＣＡ１０識別子とを比較することと、
もし前記比較ステップが、前記受信されたマルチキャストメッセージに関連した前記ＢＣＡ１０識別子が前記保有されたリスト中の前記ＢＣＡ１０識別子の一つと一致すること、を示すのであれば、前記受信されたマルチキャストメッセージが特別な処理を要求することを判定することと、
を含む、Ｃ２記載の方法。
［Ｃ４］
前記判定ステップは、
前記マルチキャストメッセージが前記マルチキャストメッセージのインターネットプロトコル（ＩＰ）ヘッダに基づいた特別な処理を要求するかどうかを判定する、Ｃ１記載の方法。
［Ｃ５］
前記判定ステップは、
前記マルチキャストメッセージがＩＰヘッダの中のディフサーブコードポイント（ＤＳＣＰ）値を要求するかどうかを判定する、Ｃ４記載の方法。
［Ｃ６］
前記判定ステップは、
前記マルチキャストメッセージが一又はそれ以上のマルチキャストインターネットプロトコル（ＩＰ）アドレスおよびポート領域に基づいた特別な処理を要求するかどうかを判定する、Ｃ４記載の方法。
［Ｃ７］
前記第１のフォーマットは、
通常のメッセージフォーマットに対応し、
前記第２のフォーマットは、
データオーバーシグナリング（ＤＯＳ）メッセージフォーマットに対応する、Ｃ１記載の方法。
［Ｃ８］
前記変換ステップは、
前記マルチキャストメッセージを前記ＤＯＳメッセージフォーマットに変換し、
前記結果として生ずるＤＯＳメッセージは、
前記複数のアクセスターミナルの少なくとも一部と関連するマルチキャストアクセスターミナル識別子（ＭＡＴＩ）にアドレスされる、Ｃ４記載の方法。
［Ｃ９］
前記変換ステップは、
与えられたＢＣＭＣＳフローのためのブロードキャストマルチキャストサービス（ＢＣＭＣＳ）フロー識別子（ＩＤ）に前記ＭＡＴＩをセットする、Ｃ８記載の方法。
［Ｃ１０］
前記複数のアクセスターミナルの一又はそれ以上で、前記複数のアクセスターミナルの一又はそれ以上が前記ＭＡＴＩによって示された前記ＢＣＭＣＳフローに関係させられるかどうかに基づいて前記ＤＯＳメッセージをデコードすることを更に具備する、Ｃ９記載の方法。
［Ｃ１１］
前記複数のアクセスターミナルの各々で、前記ＭＡＴＩにアドレスされた任意のＤＯＳメッセージをデコードすることを更に具備する、Ｃ８記載の方法。
［Ｃ１２］
前記送信ステップは、
ダウンリンク制御チャネル上で次に利用可能な制御チャネルカプセルを送信する、Ｃ１記載の方法。
［Ｃ１３］
前記次に利用可能な制御チャネルは、
同期制御チャネルカプセル（ＳＣ）および副同期制御チャネルカプセル（ＳＳＣ）のうちの一つである、Ｃ１２記載の方法。
［Ｃ１４］
前記送信ステップは、
前記次に利用可能な制御チャネルカプセルの与えられた媒体アクセス制御（ＭＡＣ）層パケット中の前記第２のフォーマットの前記マルチキャストメッセージを送信する、Ｃ１２記載の方法。
［Ｃ１５］
前記与えられたＭＡＣ層パケットは、
前記次に利用可能な制御チャネルカプセル中の初期ＭＡＣ層パケットである、Ｃ１４記載の方法。
［Ｃ１６］
アクセスターミナルで制御チャネル上のメッセージを受信することと、
前記メッセージがマルチキャストメッセージを含むかどうかを判定することと、
もし前記メッセージがマルチキャストメッセージを含むのであれば、前記メッセージから前記マルチキャストメッセージを抽出することと、
を具備する、ワイヤレス通信システム中のマルチキャストメッセージを受信する方法。
［Ｃ１７］
前記メッセージは、
データオーバーシグナリング（ＤＯＳ）メッセージである、Ｃ１６記載の方法。
［Ｃ１８］
前記マルチキャストメッセージは、
前記複数のアクセスターミナルを識別するマルチキャストアクセスターミナル識別子（ＭＡＴＩ）を含む、Ｃ１７記載の方法。
［Ｃ１９］
前記メッセージは、
同期制御チャネルカプセル（ＳＣ）又は副同期制御チャネルカプセル（ＳＳＣ）のうちの少なくとも一つで受信される、Ｃ１６記載の方法。
［Ｃ２０］
複数のマルチキャストフロー識別子のうちの少なくとも一つを選択することと、
アクセスネットワークに前記生成されたマルチキャストメッセージを特別な処理プロトコルで関連づけることを指示することと、
前記アクセスネットワークによって適用される前記特別な処理プロトコルで前記生成されたマルチキャストメッセージを関連づけるために前記選択されたマルチキャストフロー識別子に対応するマルチキャストメッセージを生成することと、
を具備する、マルチキャストメッセージの特別な処理のためにワイヤレス通信システムを構成する方法。
［Ｃ２１］
前記マルチキャストフロー識別子は、
ブロードキャストおよびマルチキャストサービス（ＢＣＭＣＳ）フロー識別子（ＩＤ）である、Ｃ２０記載の方法。
［Ｃ２２］
前記アクセスネットワークに前記生成されたマルチキャストメッセージを送信することを更に具備する、Ｃ２０記載の方法。
［Ｃ２３］
前記アクセスネットワークで、
複数のアクセスターミナルに送信されるべき前記送信されたマルチキャストメッセージを受信すること、前記受信されたマルチキャストメッセージは第１のフォーマットを有する、と、
前記送信されたマルチキャストメッセージが特別な処理を要求するかどうかを判定することと、
もし前記判定ステップが前記送信されたマルチキャストメッセージが特別な処理を要求すると判定するのであれば、前記送信されたマルチキャストメッセージを前記第１のフォーマットから第２のフォーマットに変換することと、
前記複数のアクセスターミナルのうちの少なくとも一つに、制御チャネルを通じて、前記第２のフォーマットの前記変換されたマルチキャストメッセージを送信することと、
を更に具備する、Ｃ２０記載の方法。
［Ｃ２４］
複数の保有されたマルチキャストフロー識別子のうちの少なくとも一つを選択するように構成される論理と、
前記選択された保有マルチキャストフロー識別子を含むマルチキャストメッセージを生成するように構成される論理と、
を具備し、
前記選択された保有マルチキャストフロー識別子は、
アクセスネットワークで前記マルチキャストメッセージのための特別な処理プロトコルをトリガするように構成される、ブロードキャスト供給ノード（ＢＳＮ）を含むワイヤレス通信システム。
［Ｃ２５］
前記ＢＳＮから前記生成されたマルチキャストメッセージを受信するように構成される論理、前記受信されたマルチキャストメッセージは前記複数のアクセスターミナルに送信されるべき第１のフォーマットを有する、と、
前記受信されたマルチキャストメッセージが、前記受信されたマルチキャストメッセージに含まれる前記選択されたマルチキャストフロー識別子に基づいて特別な処理を要求するかどうかを判定するように構成される論理と、
もし前記マルチキャストメッセージが特別な処理を要求するのであれば、前記受信されたマルチキャストメッセージを前記第１のフォーマットから第２のフォーマットに変換するように構成される論理と、
複数のアクセスターミナルのうちの少なくとも一つに、制御チャネルを通じて、前記第２のフォーマットの前記変換されたマルチキャストメッセージを送信するように構成される論理と、
を更に具備する、Ｃ２４記載のワイヤレス通信システム。
［Ｃ２６］
複数のアクセスターミナルに送信されるべきマルチキャストメッセージを受信する手段、前記受信されたマルチキャストメッセージは第１のフォーマットを有する、と、
前記受信されたマルチキャストメッセージが特別な処理を要求するかどうかを判定する手段と、
もし前記マルチキャストメッセージが特別な処理を要求するのであれば、前記受信されたマルチキャストメッセージを前記第１のフォーマットから第２のフォーマットに変換する手段と、
前記複数のアクセスターミナルのうちの少なくとも一つに、制御チャネルを通じて、前記第２のフォーマットの前記変換されたマルチキャストメッセージを送信する手段と、
を具備する、ワイヤレス通信システム。
［Ｃ２７］
前記受信されたマルチキャストメッセージが特別な処理を要求するかどうかを判定する手段は、
前記受信されたマルチキャストメッセージに関連したＢＣＡ１０識別子を用いる、Ｃ２６記載のワイヤレス通信システム。
［Ｃ２８］
保有されたリストのＢＣＡ１０識別子と前記受信されたマルチキャストメッセージに関連したＢＣＡ１０識別子とを比較する手段を更に具備し、
前記受信されたマルチキャストメッセージは、
もし前記受信されたマルチキャストメッセージに関連した前記ＢＣＡ１０識別子が前記保有されたリスト中のＢＣＡ１０識別子のうちの一つと一致するのであれば、特別な処理を要求する、Ｃ２７記載のワイヤレス通信システム。
［Ｃ２９］
前記受信されたマルチキャストメッセージが特別な処理を要求するかどうかを判定する手段は、
前記マルチキャストメッセージのインターネットプロトコル（ＩＰ）ヘッダを用いる、Ｃ２６記載のワイヤレス通信システム。
［Ｃ３０］
前記ＩＰヘッダは、
特別な処理を示すためのディフサーブコードポイント（ＤＳＣＰ）値を含む、Ｃ２９記載のワイヤレス通信システム。
［Ｃ３１］
前記受信されたマルチキャストメッセージが特別な処理を要求するかどうかを判定する手段は、
一又はそれ以上のマルチキャストインターネットプロトコル（ＩＰ）アドレスおよびポート領域を用いる、Ｃ２６記載のワイヤレス通信システム。
［Ｃ３２］
前記第１のフォーマットは、
通常のメッセージフォーマットに対応し、
前記第２のフォーマットは、
データオーバーシグナリング（ＤＯＳ）メッセージフォーマットに対応する、Ｃ２６記載のワイヤレス通信システム。
［Ｃ３３］
ＤＯＳメッセージフォーマットに前記マルチキャストメッセージを変換する手段を更に具備し、
前記結果として生ずるＤＯＳメッセージは、
前記複数のアクセスターミナルの少なくとも一部と関連するマルチキャストアクセスターミナル識別子（ＭＡＴＩ）にアドレスされる、Ｃ３２記載のワイヤレス通信システム。
［Ｃ３４］
前記ＭＡＴＩは、
与えられたＢＣＭＣＳフローのためのブロードキャストマルチキャストサービス（ＢＣＭＣＳ）フロー識別子（ＩＤ）にセットされる、Ｃ３３記載のワイヤレス通信システム。
［Ｃ３５］
前記複数のアクセスターミナルの一又はそれ以上で、前記ＤＯＳメッセージをデコードする手段を更に具備する、Ｃ３４記載のワイヤレス通信システム。
［Ｃ３６］
前記デコードする手段は、
前記複数のアクセスターミナルの各々で、前記ＭＡＴＩにアドレスされた任意のＤＯＳメッセージをデコードする、Ｃ３３記載のワイヤレス通信システム。
［Ｃ３７］
前記送信する手段は、
ダウンリンク制御チャネル上で次に利用可能な制御チャネルカプセルを送信する、Ｃ２６記載のワイヤレス通信システム。
［Ｃ３８］
前記次に利用可能な制御チャネルは、
同期制御チャネルカプセル（ＳＣ）又は副同期制御チャネルカプセル（ＳＳＣ）のうちの一つである、Ｃ３７記載のワイヤレス通信システム。
［Ｃ３９］
前記送信する手段は、
前記次の利用可能な制御チャネルカプセルの与えられた媒体アクセス制御（ＭＡＣ）層のパケット中の前記第２のフォーマットの前記マルチキャストメッセージを送信する、Ｃ３７記載のワイヤレス通信システム。
［Ｃ４０］
複数の保有されたマルチキャストフロー識別子のうちの少なくとも一つを選択する手段と、
前記選択された保有マルチキャストフロー識別子を含むマルチキャストメッセージを生成する手段と、
を具備し、
前記選択された保有マルチキャストフロー識別子は、
アクセスネットワークで前記マルチキャストメッセージのための特別な処理プロトコルをトリガするように構成される、ワイヤレス通信システム。
［Ｃ４１］
前記第１の手段から複数のアクセスターミナルに送信されるべき前記生成されたマルチキャストメッセージを受信する手段、前記受信されたマルチキャストメッセージは第１のフォーマットを有する、と、
前記受信されたマルチキャストメッセージが、前記受信されたマルチキャストメッセージに含まれる前記選択されたマルチキャストフロー識別子に基づいて特別な処理を要求するかどうかを判定する手段と、
もし前記受信されたマルチキャストメッセージが特別な処理を要求するのであれば、前記受信されたマルチキャストメッセージを前記第１のフォーマットから第２のフォーマットに変換する手段と、
複数のアクセスターミナルのうちの少なくとも一つに、制御チャネルを通じて、前記第２のフォーマットを備える前記変換されたマルチキャストメッセージを送信する手段と、
を更に具備する、Ｃ４０記載のワイヤレス通信システム。
［Ｃ４２］
複数のアクセスターミナルに送信されるべきマルチキャストメッセージを受信するためのプログラムコード、前記受信されたマルチキャストメッセージは第１のフォーマットを有する、と、
前記受信されたマルチキャストメッセージが特別な処理を要求するかどうかを判定するためのプログラムコードと、
もし前記受信されたマルチキャストメッセージが特別な処理を要求するのであれば、前記受信されたマルチキャストメッセージを前記第１のフォーマットから第２のフォーマットに変換するためのプログラムコードと、
前記複数のアクセスターミナルのうちの少なくとも一つに、制御チャネルを通じて、前記第２のフォーマットを備える前記変換されたマルチキャストメッセージを送信するためのプログラムコードと、
を具備し、そこに記憶されるプログラムコードを含むコンピュータ可読媒体。
［Ｃ４３］
アクセスターミナルで制御チャネル上で受信されるメッセージがマルチキャストメッセージを含むかどうかを判定するためのプログラムコードと、
もし前記メッセージがマルチキャストメッセージを含むのであれば、前記メッセージから前記マルチキャストメッセージを抽出するためのプログラムコードと、
を具備し、そこに記憶されるプログラムコードを含むコンピュータ可読媒体。
［Ｃ４４］
複数のマルチキャストフロー識別子のうちの少なくとも一つを選択するためのプログラムコードと、
アクセスネットワークに前記生成されたマルチキャストメッセージを特別な処理プロトコルで関連づけることを命令するためのプログラムコードと、
前記アクセスネットワークによって適用される前記特別な処理プロトコルを備える前記生成されたマルチキャストメッセージに関連づけるために、前記選択されたマルチキャストフロー識別子と対応するマルチキャストメッセージを生成するためのプログラムコードと、
を具備し、そこに記憶されるプログラムコードを含むコンピュータ可読媒体。
［Ｃ４５］
複数のアクセスターミナルに送信されるべきマルチキャストメッセージを受信するように構成される論理、前記受信されたマルチキャストメッセージは第１のフォーマットを有する、と、
前記受信されたマルチキャストメッセージが特別な処理を要求するかどうかを判定するように構成される論理と、
もし前記受信されたマルチキャストメッセージが特別な処理を要求するのであれば、前記受信されたマルチキャストメッセージを前記第１のフォーマットから第２のフォーマットに変換するように構成される論理と、
前記複数のアクセスターミナルのうちの少なくとも一つに、制御チャネルを通じて、前記第２のフォーマットを備える前記変換されたマルチキャストメッセージを送信するように構成される論理と、
を具備する、アクセスネットワーク。
［Ｃ４６］
制御チャネルを通じて受信されるメッセージがマルチキャストメッセージを含むかどうかを判定するように構成される論理と、
もし前記メッセージがマルチキャストメッセージを含むのであれば、前記メッセージから前記マルチキャストメッセージを抽出するように構成される論理と、
を具備する、アクセスターミナル。
［Ｃ４７］
複数のマルチキャストフロー識別子のうちの少なくとも一つを選択するように構成される論理と、
アクセスネットワークに前記生成されたマルチキャストメッセージを特別な処理プロトコルで関連づけることを命令するように構成される論理と、
前記アクセスネットワークによって適用される前記特別な処理プロトコルを備える前記生成されたマルチキャストメッセージに関連づけるために、前記選択されたマルチキャストフロー識別子と対応するマルチキャストメッセージを生成するように構成される論理と、
を具備する、ブロードキャスト供給ノード。
【図１】
0005583736.tif 000002
【図２】
0005583736.tif 000003
【図３】
0005583736.tif 000004
【図４】
0005583736.tif 000005
【図５】
0005583736.tif 000006
【図６】
0005583736.tif 000007